(57)【要約】【課題】バンドの両端に形成した取付片を袋物の開口に取り付けて、開口が不必要に開かないようにする場合に、袋物への取付用の突起の数を低減して生産性を向上し、開口を開閉する際に結合手段が見やすく、結合の作業が行いやすく取扱に便利な袋物の提手を得る。【解決手段】取付片２，３をバンド１の両端部をそれぞれ二股に分岐した開閉自在な一対の挟着片２ａ，２ｂ，３ａ，３ｂで形成し、両端にそれぞれ形成された挟着片２ａ〜３ｂのうちの一方の挟着片２ａ，３ａ　の内側で先端近傍に位置させて対向する挟着片２ｂ，３ｂへの係止突起４を設け、対向する他方の挟着片２ｂ，３ｂに係止孔５を設け、前記係止孔５を設けた挟着片２ｂ，３ｂ　のいずれか一方の挟着片２ａの外側根元部であるバンド１側に位置させて、対向する開口縁に取り付けられる挟着片３ｂとの結合凸部であるホック６を形成し、対向する開口縁に取り付けられる挟着片３ｂの外側根元部に結合凹部であるホック７を形成した。【選択図】　　　　図２
2004123185.tif 000002
【特許請求の範囲】
【請求項１】
両端に取付片を形成したバンドの前記取付片が、袋物の対向する開口縁に取り付けられ、対向する取付片同士が結合される袋物の提手において、前記取付片はバンドの両端部をそれぞれ二股に分岐した開閉自在な一対の挟着片で形成し、両端にそれぞれ形成された挟着片の一方の内側で先端近傍に位置させて対向する挟着片への係止突起を１個設け、対向する他方の挟着片に前記係止突起が係合する係止孔を１個設け、前記係止孔を設けた挟着片のいずれか一方の外側根元部であるバンド側に位置させて、対向する開口縁に取り付けられる挟着片との結合凸部を形成し、対向する開口縁に取り付けられる挟着片の外側根元部に前記結合凸部と結合する結合凹部を形成したことを特徴とする袋物の提手。
【請求項２】
一対の挟着片の根元部である分岐部は、袋物の開口縁が挟着される狭隘口に形成する請求項１記載の袋物の提手。
【発明の詳細な説明】
【０００１】
【発明の属する技術分野】
本発明は、紙袋などの開口縁に取り付けられ、袋物の開口が必要時以外には自然開口しないような開口防止構造を有する袋物の提手に関するものである。
【０００２】
【従来の技術】
かかる提手には、従来種々のタイプがあるが、一種類の同一形状のものを対向する開口縁にそれぞれ取り付け、対向するもの同士を組み合わせて開口防止構造とできるよう、左右対象な形状のものがある。図７、図８に示すものは、その一例（例えば、特許文献１参照。）であり、プラスチックなどの合成樹脂の成形品からなり、提手の本体となるバンド１の両端に取付片２，３を設けるものであるが、この取付片はバンド１の両端をそれぞれ二股に分岐して、対向する一対の挟着片２ａ，２ｂ、挟着片３ａ，３ｂを形成している。
【０００３】
前記取付片２，３には袋物への取付手段と、対向する取付片同士を結合する結合手段とが設けられ、袋物への取付手段としては、対向する挟着片のうちの一方、図示の例では挟着片２ａと挟着片３ａの内側にそれぞれ２個の係止突起１８ａ，１８ｂを突設し、対向する挟着片２ｂと挟着片３ｂとに前記係止突起１８ａ，１８ｂが嵌合する係止孔１９ａ，１９ｂを設けている。
【０００４】
また、対向する取付片２，３同士を結合する結合手段としては、他方の挟着片、図示の例では挟着片２ｂと挟着片３ｂの外側で前記２個の係止孔１９ａ，１９ｂの間に位置させて係合鉤部１７ａ，１７ｂと係合鉤受け口２０をそれぞれ設けている。
【０００５】
そして、提手を袋物に取り付けるには、対向する一対の挟着片２ａ，２ｂの間、挟着片３ａ，３ｂの間に袋物の開口縁を挿入し、係止突起１８ａ，１８ｂを袋物を貫通させて対向位置の係止孔１９ａ，１９ｂに挿入する。これにより、係止突起１８ａ，１８ｂが係止孔１９ａ，１９ｂに係止され、挟着片２ａ，２ｂ、挟着片３ａ，３ｂで袋物の開口が挟着され、取付片２，３が袋物に固定される。
【０００６】
かかる取付片２，３により袋物の開口が不必要に開かないようにするには、一方の２ｂと他方の挟着片３ｂとにそれぞれ設けた係合鉤部１７ａ，１７ｂと係合鉤受け口２０を相互に嵌合して対向する取付片２と取付片３とを結合する。
【０００７】
ここで、係止突起１８ａ，１８ｂおよび係止孔１９ａ，１９ｂをそれぞれ２個ずつ設けているのは、取付状態で取付片２，３が袋物の開口部で回転してしまうのを防止するためである。
【０００８】
【特許文献１】
特開平１０−２０１５１９号公報
【０００９】
【発明が解決しようとする課題】
袋物に対して取付片２，３が回転することを防止するため、係止突起１８ａ，１８ｂおよび係止孔１９ａ，１９ｂをそれぞれ２個ずつ設ける必要があり、このため、孔開け工程が多くなって生産工程で一度に処理できる枚数が２〜４枚に限定され、生産性がよくなかった。
【００１０】
また、前記のように係止突起１８ａ，１８ｂおよび係止孔１９ａ，１９ｂをそれぞれ２個ずつ設けるため、係合鉤部１７ａ，１７ｂの形成位置が、この係止突起１８ａ，１８ｂの間、係止孔１９ａ，１９ｂの間に限定されることになり、係合鉤部１７ａ，１７ｂが袋物の開口縁から離れた下方に位置することになって、開閉作業を行うに際し、開口から遠くなって見づらく、両係合鉤部１７ａ，１７ｂを合致させる作業などが容易ではない。
【００１１】
本発明の目的は前記従来例の不都合を解消し、バンドの両端に形成した取付片を袋物の開口に取り付けて、開口が不必要に開かないようにする場合に、袋物への取付用の突起の数を低減して生産工程を削減でき、生産性の向上を図ることができ、また、開口を開閉する際に対向する取付片に設けた結合手段が見やすく、結合の作業が行いやすく取扱に便利な袋物の提手を提供することにある。
【００１２】
【課題を解決するための手段】
本発明は前記目的を達成するため、第１に、両端に取付片を形成したバンドの前記取付片が、袋物の対向する開口縁に取り付けられ、対向する取付片同士が結合される袋物の提手において、前記取付片はバンドの両端部をそれぞれ二股に分岐した開閉自在な一対の挟着片で形成し、両端にそれぞれ形成された挟着片の一方の内側で先端近傍に位置させて対向する挟着片への係止突起を１個設け、対向する他方の挟着片に前記係止突起が係合する係止孔を１個設け、前記係止孔を設けた挟着片のいずれか一方の外側根元部であるバンド側に位置させて、対向する開口縁に取り付けられる挟着片との結合凸部を形成し、対向する開口縁に取り付けられる挟着片の外側根元部に前記結合凸部と結合する結合凹部を形成したことを要旨とするものである。
【００１３】
第２に、一対の挟着片の根元部である分岐部は、袋物の開口縁が挟着される狭隘口に形成することを要旨とするものである。
【００１４】
請求項１記載の本発明によれば、袋物への固定手段である係止突起と係止孔とを取付片にそれぞれ１個しか設けないから、生産性がよくなるだけてなく、対向する開口縁に取り付けられる挟着片との結合凸部およびこれに結合する結合凹部を、挟着片のバンド側である根元部に形成することができ、結合凸部と結合凹部の形成部位が開口近傍となり、両者を結合するに際し、上から見やすくなり使い勝手がよくなる。また、結合凸部と結合凹部の下方に係止突起と係止孔が位置し、この下方位置で取付片が袋物にしっかりと固定されるから、結合凸部と結合凹部とを開閉する際に、この部分に力を加えても安定して開閉できる。
【００１５】
請求項２記載の本発明によれば、前記作用に加えて、一対の挟着片の根元部である分岐部を狭隘口に形成したから、ここに袋物の開口縁部を差し込んだ状態では、開口縁部が挟着片で両側から押圧され、押圧力によって袋物が取付片に固定される。よって、取付片を袋物に固定するための係止突起と係止孔を１個ずつとしても、取付片が袋物に対して回転することがない。
【００１６】
【発明の実施の形態】
以下、図面について本発明の実施の形態を詳細に説明する。図１は本発明の袋物の提手の実施形態を示す袋物に取り付けた状態の斜視図、図２は本発明の袋物の提手の実施形態を示す正面面、図３は同上側面図で、基本構成は従来と同様、プラスチックなどの合成樹脂の成形品からなり、提手の本体となるバンド１の両端に取付片２，３を設けるものであり、この取付片２，３はバンド１の両端をそれぞれ二股に分岐して、開閉自在な対向する一対の挟着片２ａ，２ｂ、挟着片３ａ，３ｂで形成する。
【００１７】
前記取付片２，３には袋物への取付手段と、対向する取付片２，３同士を結合する結合手段とが設けられ、袋物への取付手段としては各挟着片２ａ，３ａの内側先端近傍に位置させて、対向する挟着片２ｂ，３ｂへの係止突起４を設けるとともに、対向する他方の挟着片２ｂ，３ｂに前記係止突起４が係合する係止孔５を設けた。前記係止突起４は例えば先端を円錐形状に形成した略円筒体形状に形成し、係止孔５は円形に形成する。
【００１８】
対向する取付片２，３同士を結合する結合手段としては、図４、図５にも示すようにバンド１の一方の端部に形成されている挟着片、例えば挟着片２ｂの外側で根元部すなわちバンド１との連成部近傍に位置させて結合凸部として平面円形状のボタン状の雄のホック６を形成し、バンド１の他方の端部に形成されている挟着片３ｂの外側で根元部すなわちバンド１との連成部近傍に位置させて結合凹部としてリング状の雌のホック７を形成する。
【００１９】
さらに本発明では、取付片２，３のバンド１との連成部である二股に分岐した根元の箇所は開閉しないようにして袋物９の開口縁９ａが挟着される狭隘口８に形成した。
【００２０】
なお、対向する取付片２，３同士を結合する結合手段は、前記したようなホック６，７の形状に限定されるものではなく、図６（ａ）に示すように２組の係合鉤１１ａ，１１ｂとこの係合鉤１１ａ，１１ｂが挿入する係合鉤受け口１２とで形成し、図６（ｂ）に示すように半割状の係合突起１３ａ、１３ｂとこれが挿入する孔である係合受部１４とで形成し、図６（ｃ）に示すように円錐形状の突起１５とこれが挿入する孔１６との組み合わせで形成するなど種々の形状が考えられる。
【００２１】
次に使用法について説明すると、取付片２，３を袋物９の開口縁９ａに取り付けるには、各取付片２，３を形成する挟着片２ａ，２ｂ、挟着片３ａ，３ｂの間に袋物９の上部分を挿入し、開口縁９ａが狭隘口８内に挟着されるように深く差し込む。この場合、図１にも示すように２本の提手を袋物９の対向するそれぞれの辺に１本ずつ取り付ける。また、結合手段であるホック６，７が袋物９の内側に位置するように取り付ける。
【００２２】
そして、挟着片２ａ，２ｂ同士、および挟着片３ａ，３ｂ同士を互いに圧着すれば、一方の挟着片２ａ，３ａに設けてある係止突起４が、袋物９を貫通して対向する他方の挟着片２ｂ，３ｂに設けてある係止孔５に挿入し、係止突起４と係止孔５とが嵌合する。これにより、取付片２，３が袋物９の開口縁９ａに固定される。
【００２３】
この状態で、提手はそれぞれ係止突起４と係止孔５により端部を一か所ずつ袋物９に固定されるだけであるが、開口縁９ａが狭隘口８内に挿入されて挟着片２ａ，２ｂおよび挟着片３ａ，３ｂの根元で両側から押さえ込まれるから、取付片２，３が袋物９の開口縁９ａの箇所で回転することはなく、所定位置に固定される。
【００２４】
このようにして提手を取り付けた紙袋を使用中に、袋物９の内部に収納した物品が抜け出ないようにするには、対向する提手を結合して開口縁９ａを閉じるようにする必要がある。そこで、次に開口縁９ａを閉じる方法を説明すると、図５に示すように対向する開口縁９ａに取り付けてある取付片２，３の挟着片２ｂ，３ｂを互いに押しつければ、ホック６がホック７と嵌合し結合する。
【００２５】
これにより、開口縁９ａが閉じて不要に開くことがない。この場合、ホック６，７は取付片２，３の上部すなわち開口縁９ａに近い位置に設けてあるから、袋物９の開口を覗きながらホック６，７を閉じる作業を行うに際し、ホック６，７が見やすく、両者を容易に合わせることができて一度で簡単に閉じられる。
【００２６】
袋物９の内部に収納した物品を取り出すなどする場合は、ホック６，７の嵌合力に抗して開口縁９ａを両外側に引っ張れば、ホック６，７の嵌合が解除され開口縁９ａが開く。このとき、ホック６，７の下方に係止突起４と係止孔５が位置し、この下方位置で取付片２，３が袋物９にしっかりと固定されているから、ホック６，７とを開閉する際に、この部分に力を加えても安定して開閉できる。
【００２７】
【発明の効果】
以上述べたように本発明の袋物の提手は、バンドの両端に形成した取付片を袋物の開口に取り付けて、開口が不必要に開かないようにする場合に、袋物への取付用の突起の数を低減して１個としたから生産工程を削減でき、生産性の向上を図ることができ、また、開口を開閉する際に対向する取付片に設ける結合手段を前記突起の上方に位置させることができて見やすく、結合の作業が行いやすくなり取扱に便利なものである。さらに、結合凸部と結合凹部の下方に係止突起と係止孔が位置し、この下方位置で取付片が袋物にしっかりと固定されるから、結合凸部と結合凹部とを開閉する際に、この部分に力を加えても安定して開閉できる。
【図面の簡単な説明】
【図１】本発明の袋物の提手の実施形態を示す袋物に取り付けた状態の斜視図である。
【図２】本発明の袋物の提手の実施形態を示す正面図である。
【図３】本発明の袋物の提手の実施形態を示す側面図である。
【図４】本発明の袋物の提手の実施形態を示す縦断正面図である。
【図５】本発明の袋物の提手の実施形態を示す袋物に取り付けた状態の要部の縦断正面図である。
【図６】本発明の袋物の提手の結合手段の他の例を示す斜視図である。
【図７】従来の袋物の提手の正面図である。
【図８】従来の袋物の提手の側面図である。
【符号の説明】
１…バンド　　　　　　　　　　　２，３…取付片
２ａ，２ｂ，３ａ，３ｂ…挟着片　４…係止突起
５…係止孔　　　　　　　　　　　６，７…ホック
８…狭隘口　　　　　　　　　　　９…袋物
９ａ…開口縁　　　　　　　　　　１１ａ，１１ｂ…係合鉤
１２…係合鉤受け口　　　　　　　１３ａ，１３ｂ…係合突起
１４…係合受部　　　　　　　　　１５…突起
１６…孔　　　　　　　　　　　　１７ａ，１７ｂ…係合鉤部
１８ａ，１８ｂ…係止突起　　　　１９ａ，１９ｂ…係止孔
２０…係合鉤受け口
【図１】
2004123185.tif 000003
【図２】
2004123185.tif 000004
【図３】
2004123185.tif 000005
【図４】
2004123185.tif 000006
【図５】
2004123185.tif 000007
【図６】
2004123185.tif 000008
【図７】
2004123185.tif 000009
【図８】
2004123185.tif 000010